(57)【要約】【課題】低コストかつ簡易な機構を用いて、横臥者を床から起き上がらせて、車いすやベッド等に移乗しやすいようにすることができる起き上がり補助装置を提供する。【解決手段】起き上がり補助装置１は、空気を充填することによって膨らますことが可能な袋によって構成されており、非充填時に横臥者４の背中に差し込んで、空気を充填させることで、横臥者４を床から持ち上げることができる。当該袋は、空気の充填によって、横臥者４の腰部分を持ち上げることが可能となっている。当該袋の膨張時の頭側の高さは、太もも側の高さよりも高い。好ましくは、当該袋の膨張時の太もも側の高さは、３００ｍｍ〜６５０ｍｍの範囲のいずれかを取り得る。さらに、好ましくは、当該袋の膨張時の太もも側の高さは、４００ｍｍ〜５００ｍｍの範囲のいずれかを取り得る。【選択図】図３
2020075016.tif 000002
【特許請求の範囲】
【請求項１】
空気を充填することによって膨らますことが可能な少なくとも１つの袋によって構成されており、非充填時に横臥者の背中に差し込んで、空気を充填させることで、前記横臥者を床から持ち上げることができ、前記袋は、空気の充填によって、前記横臥者の腰部分を持ち上げることが可能となっていることを特徴とする、起き上がり補助装置。
【請求項２】
前記袋の膨張時の頭側の高さは、太もも側の高さよりも高いことを特徴とする、請求項１に記載の起き上がり補助装置。
【請求項３】
前記袋の膨張時の太もも側の高さは、３００ｍｍ〜６５０ｍｍの範囲のいずれかを取り得ることを特徴とする、請求項１又は２に記載の起き上がり補助装置。
【請求項４】
前記袋の膨張時の太もも側の高さは、４００ｍｍ〜５００ｍｍの範囲のいずれかを取り得ることを特徴とする、請求項３に記載の起き上がり補助装置。
【請求項５】
前記袋の膨張時の頭側の高さは、５００ｍｍ〜８００ｍｍの範囲のいずれかを取り得ることを特徴とする、請求項１〜４のいずれかに記載の起き上がり補助装置。
【請求項６】
前記少なくとも１つの袋は、
前記横臥者の太もも部分を持ち上げる第１の袋と、
前記横臥者の背中部分を持ち上げる第２の袋と、
によって構成されていることを特徴とする、請求項１〜５のいずれかに記載の起き上がり補助装置。
【発明の詳細な説明】
【技術分野】
【０００１】
本発明は、高齢者や身障者など介護を必要とする人（以下、「被介護者」という。）が倒れて自力で起き上がることができない状況において、被介護者を起き上がらせて、車いすやベッド等に移乗することを容易に行なうことができるようにするための起き上がり補助装置である。
【背景技術】
【０００２】
従来、特許文献１及び２に記載の装置のように、横臥者（おうがしゃ）を起き上がらせる装置として、椅子に変形する装置が提案されており、実用化もされている。
【０００３】
また、特許文献３に記載のように、エアーバッグの膨張力を用いて横臥者の上体を起こす装置も提案されている。
【先行技術文献】
【特許文献】
【０００４】
【特許文献１】特許第６２５５０２４号公報
【特許文献２】特表２０１８−５０６３８４号公報
【特許文献３】特開２００７−３７８８６号公報
【発明の概要】
【発明が解決しようとする課題】
【０００５】
たとえば、ベッドから落ちてしまった場合や、歩行中に倒れてしまった場合など、被介護者が横転して床に寝そべってしまって横臥者となった場合、横臥者を、車いすかベッドに移乗する必要がある。
【０００６】
装置に頼らない場合、介護者が床の横臥者を人力で起き上がらして、車いすやベッドに移すこととなるが、人力で横臥者を床から起き上がらせるのは、重労働である。
【０００７】
特許文献１及び２に記載のように、椅子に変形する装置であれば、最終的には、横臥者が椅子に座った状態となるように、装置が変形するので、その状態で、車いすやベッドに移乗することが可能となる。
【０００８】
仮に、特許文献３に記載の装置を横臥者に適用するとした場合、横臥者と床との間に、特許文献３の装置を差し込んで、横臥者の背中を起こすこととなる。しかし、背中が起き上がった状態から、介護者が、被介護者の腰を床から持ち上げるようにして、車いす等に移乗しなければならないが、その状態から、被介護者を車いす等に移乗するのは、非常に力の必要とする作業である。よって、特許文献３の装置は、横臥者を車いす等に移乗するために使用するのには適していない。
【０００９】
一方、特許文献１及び２に記載の装置であれば、被介護者が椅子に座った状態となるため、車いす等への移乗が容易となる。しかし、特許文献１及び２に記載の装置は、椅子に変形するために複雑な機構を備える装置でなければならず、高コストな装置となってしまう。
【００１０】
それゆえ、本発明は、低コストかつ簡易な機構を用いて、横臥者を床から起き上がらせて、車いすやベッド等に移乗しやすいようにすることができる起き上がり補助装置を提供することを目的とする。
【課題を解決するための手段】
【００１１】
上記課題を解決するために、本発明は、以下のような特徴を有する。本発明は、空気を充填することによって膨らますことが可能な少なくとも１つの袋によって構成されており、非充填時に横臥者の背中に差し込んで、空気を充填させることで、横臥者を床から持ち上げることができる起き上がり補助装置である。
【００１２】
当該袋は、空気の充填によって、横臥者の腰部分を持ち上げることが可能となっている。
【００１３】
好ましくは、当該袋の膨張時の頭側の高さは、太もも側の高さよりも高いとよい。
【００１４】
好ましくは、当該袋の膨張時の太もも側の高さは、３００ｍｍ〜６５０ｍｍの範囲のいずれかを取り得るとよい。
【００１５】
さらに好ましくは、当該袋の膨張時の太もも側の高さは、４００ｍｍ〜５００ｍｍの範囲のいずれかを取り得るとよい。
【００１６】
好ましくは、当該袋の膨張時の頭側の高さは、５００ｍｍ〜８００ｍｍの範囲のいずれかを取り得るとよい。
【００１７】
好ましくは、少なくとも１つの袋は、横臥者の太もも部分を持ち上げる第１の袋と、横臥者の背中部分を持ち上げる第２の袋と、によって構成されているとよい。
【発明の効果】
【００１８】
本発明によれば、空気で袋を膨らませることで、横臥者を床から持ち上げることができ、低コストかつ簡易な構造の起き上がり補助装置を提供することが可能となる。当該袋は、空気の充填によって、横臥者の腰部分を持ち上げることができるので、介護者は、横臥者を床から起き上がらせて、車いすやベッド等に容易に移乗することが可能となる。
【００１９】
膨張時の頭側の高さを太もも側よりも高くすることで、横臥者の背中を起き上がらせた状態にすることができるので、移乗が楽になる。
【００２０】
膨張時に太もも側の高さが３００ｍｍ〜６５０ｍｍの範囲を取れるようにしておくことで、移乗が楽になる。
【００２１】
さらに、太もも側の高さが４００ｍｍ〜５００ｍｍの範囲を取れるようにしておけば、横臥者の腰の高さが、移乗が楽な高さとなる。
【００２２】
膨張時に頭側の高さが５００ｍｍ〜８００ｍｍの範囲のいずれかを取れるようにしておくことでも、移乗が楽になる。
【００２３】
第１の袋と第２の袋を用いることで、横臥者の腰やお尻から太もも部分を先に持ち上げることが可能となるので、横臥者が滑り落ちてしまうことを防止できる。
【００２４】
本発明のこれら、及び他の目的、特徴、局面、効果は、添付図面と照合して、以下の詳細な説明から一層明らかになるであろう。
【図面の簡単な説明】
【００２５】
【図１】図１は、本発明の一実施形態における起き上がり補助装置１の斜視図である。
【図２】図２は、横臥者４の背中に起き上がり補助装置１が差し込まれたときの状態を示す図である。
【図３】図３は、空気を入れた後の起き上がり補助装置１の状態を示す図である。
【図４】図４は、他の実施形態を示す斜視図である。
【図５】図５は、他の実施形態を示す斜視図である。
【図６】図６は、他の実施形態を示す斜視図である。
【図７】図７は、図１の実施形態に対して、横臥者の両腕側を持ち上げる形状とした場合の起き上がり補助装置１ｄの斜視図である。
【図８】図８は、２つの袋１０ａ，１０ｂを用いる場合の起き上がり補助装置１ｆの斜視図である。
【発明を実施するための形態】
【００２６】
図１は、本発明の一実施形態における起き上がり補助装置１の斜視図である。起き上がり補助装置１は、全体が空気を充填することが可能な密閉可能な袋で出来ている。起き上がり補助装置１の素材は、ポリ塩化ビニール等であるが、特に、素材は限定されない。起き上がり補助装置１の側面には、逆止弁付きの空気注入口２が設けられている。空気注入口２に、図示しないエアーポンプから、空気が供給されることで、起き上がり補助装置１は、膨らむ仕組みとなっている。
【００２７】
なお、エアーポンプは、電動式でも、手動式でも、油圧式でもよく、特に限定されない。また、エアーポンプを逆側に回転させることで、起き上がり補助装置１の空気を容易に抜けるようにしてもよい。逆止弁を押し開けるようにして、空気を抜けるようにするとよい。その他、空気の供給及び抜き取りについては、周知のあらゆる手段を使用することできる。当然、横臥者の体重を持ち上げることが出来る力を有するエアーポンプを用いるべきであることは、言うまでもない。
【００２８】
図１において、起き上がり補助装置１は、取っ手３を有している。取っ手３は、介護者が起き上がり補助装置１を持ち運ぶ際に使用したり、若しくは、横臥者が取っ手３を持てるようにしている。ただし、取っ手３は、無くてもよい。
【００２９】
空気を抜いた状態では、起き上がり補助装置１は、素材となるポリ塩化ビニールの厚み分程度の厚みしかない。また、空気を抜いた状態の起き上がり補助装置１は、折り畳むことが容易な状態となっている。
【００３０】
被介護者が横転し床に寝転んでしまった場合、介護者は、横臥者４の頭部分４ａ、背中部分４ｂ、腰部分４ｃ、お尻部分４ｄ、及び太もも部分４ｅを少し持ち上げるなどして、被介護者の下に、空気が抜けた状態の起き上がり補助装置１を差し込む。なお、ひざ部分４ｆは、起き上がり補助装置１の上に位置しないようにしておくとよい。なお、横臥者４が仰向けになっていない場合は、介護者は、まず、横臥者４を仰向けにする。
【００３１】
図２は、横臥者４の背中に起き上がり補助装置１が差し込まれたときの状態を示す図である。図２に示すように、起き上がり補助装置１は、少なくとも、横臥者４の頭部分４ａから太もも部分４ｅまでの全長を有している。当然、被介護者の身長には個人差があるが、身長の高い被介護者用に、起き上がり補助装置１の全長を設定しておけば、身長の低い被介護者であっても、頭部分４ａから太もも部分４ｅまでを起き上がり補助装置１に載せることが可能である。
【００３２】
たとえば、起き上がり補助装置１の全長は、１４００ｍｍ程度、全幅は、７００ｍｍ程度であるとよいが、特に、限定されるものではない。
【００３３】
図２の状態において、起き上がり補助装置１に空気を入れる。図３は、空気を入れた後の起き上がり補助装置１の状態を示す図である。図３は、最大限に膨らんだ場合の図である。なお、最大限に膨らむとは、袋が破裂する寸前まで膨らますという意味ではなく、袋が安定した状態を保つ程度に、撓むことなく膨らました状態をいうのであり、技術常識的意味において、最大限と表現している。
【００３４】
図３に示すように、横臥者４は、起き上がり補助装置１に空気が入ることで、頭部分４ａから太もも部分４ｅまでが地面よりも高い位置に来ることとなる。ただし、持ち上がった腰部分４ｅの高さがあまり低すぎると、介護者が横臥者を移乗するのに、力が必要になるので、移乗に楽な程度の高さまで、腰部分４ｅが持ち上げられるのが好ましい。具体的には、たとえば、図３において、起き上がり補助装置１の左側の側面（太もも側高さと図示）が、最大４５０ｍｍ程度まで、膨張するとよい。
【００３５】
また、頭部分４ａの方が、太もも部分４ｅに比べて、高くなっていた方が、介護者による移乗が楽になる。そのため、図３において、起き上がり補助装置１の右側の側面（頭側高さと図示）の方が、左側の側面よりも高くなっている。たとえば、図３において、起き上がり補助装置１の右側の側面が最大６５０ｍｍ程度まで膨らむとよい。
【００３６】
このように、起き上がり補助装置１は、膨張後、頭部側の方が太もも側よりも高くなる構造を有しており、かつ、移乗が容易な程度の高さまで、太もも側が膨張する構造を有している。
【００３７】
従来技術と比較して、本発明の特徴は、横臥者の腰の部分が空圧によって持ち上げられる点にある。腰の部分の持ち上がりの高さは、介護者が楽に移乗させることができる程度であるとよいが、たとえば、起き上がり補助装置１の太もも側（図３では、左側の側面側）が最大限に膨らんだときの高さが３００ｍｍ〜６５０ｍｍの範囲のいずれかであるとよく、好ましくは、４００ｍｍ〜５００ｍｍの範囲のいずれかであるとよい。
【００３８】
ただし、使用方法としては、最大限に膨らますことに限定されるものではない。たとえば、太もも側の最大膨張高さが６００ｍｍの起き上がり補助装置１の場合、膨らんでいる途中で、４５０ｍｍ程度になる場合がある。足の短い横臥者であれば、４５０ｍｍ程度にくらんだ状態であれば、介護者が楽に移乗することができる。よって、本発明の使用方法としては、起き上がり補助装置１が最大限に膨らんだ状態の場合に限定されるものではなく、膨らんでいる途中において、移乗が行なわれてもよい。
【００３９】
したがって、太もも側の最大膨張高さが、たとえば、７００ｍｍであったとしても、途中で、３００ｍｍ〜６５０ｍｍの範囲の高さに膨らむことができる起き上がり補助装置１も、本発明の範囲に含まれることとなる。
【００４０】
ゆえに、本発明における起き上がり補助装置１では、太もも側の高さとして、最大膨張高さが３００ｍｍ〜６５０ｍｍの範囲のいずれかである場合だけでなく、膨張途中において、太もも側の高さが３００ｍｍ〜６５０ｍｍの範囲のいずれかに入る装置も含まれることとなる。言い換えるならば、起き上がり補助装置１の膨張時の太もも側の高さが３００ｍｍ〜６５０ｍｍの範囲のいずれかを取り得るものが、本発明に含まれるのである。そして、好ましくは、起き上がり補助装置１の膨張時の太もも側の高さが４００ｍｍ〜５００ｍｍの範囲のいずれかを取り得るとよい。
【００４１】
これらの数値限定は、有利な効果を有する限定として認定されるべきであるが、太もも側の高さが２９０ｍｍや６６０ｍｍの場合に、本発明から除外されると限定的に解釈される趣旨ではない。あくまでも本発明の起き上がり補助装置１においては、少なくとも、横臥者の腰が床から持ち上がるように、空気によって膨らむ構造を有していればよい。
【００４２】
図３に示すように、起き上がり補助装置１の右側の側面側（頭側）の最大膨張高さは、できれば、太もも側の最大膨張高さよりも高い方が好ましい。それによって、頭側が、太もも側よりも高くなるので、介護者が横臥者の背中を持ち上げるのが容易となる。
【００４３】
頭側の高さは、好ましくは、５００ｍｍ〜８００ｍｍの範囲のいずれかであるとよい。頭側の高さについても、最大膨張高さに限るものではなく、膨張途中に、５００ｍｍ〜８００ｍｍの範囲のいずれかを取ることができればよい。言い換えるならば、起き上がり補助装置１の膨張時の頭側の高さが５００ｍｍ〜８００ｍｍの範囲のいずれかを取り得るものが、本発明に含まれるのである。
【００４４】
これらの数値限定は、有利な効果を有する限定として認定されるべきであるが、頭側の高さが４９０ｍｍや８１０ｍｍの場合に、本発明から除外されると限定的に解釈される趣旨ではない。あくまでも本発明の起き上がり補助装置１においては、少なくとも、横臥者の頭が床から持ち上がるように、空気によって膨らむ構造を有していればよい。
【００４５】
図４ないし図６は、他の実施形態を示す斜視図である。図４ないし図６に示した実施形態において、図１に示した実施形態と同様の構造を有する部分については、同一の参照符号を付す。図４に示す起き上がり補助装置１ａ、図５に示す起き上がり補助装置１ｂ、図６に示す起き上がり補助装置１ｃは、図１の実施形態と同様、空気が供給されることで、膨らむ構造となっており、頭側の高さが太もも側の高さよりも高くなっている点で、共通している。
【００４６】
図１の実施形態と異なる点について、以下に説明する。
【００４７】
図４の起き上がり補助装置１ａは、頭部分が直方体５ａの形状に膨張する構造となっている。すなわち、最大膨張後は、直方体５ａの部分が枕のようになって、横臥者が床から持ち上げられるようになっている。
【００４８】
図５の起き上がり補助装置１ｂは、頭部分が三角柱５ｂの形状に膨張する構造となっている。すなわち、最大膨張後は、三角柱５ｂの部分が背中を少し起こすようにして、横臥者が床から持ち上げられるようになっている。
【００４９】
図６の起き上がり補助装置１ｃは、図５と同様、頭部分が三角柱５ｃの形状に膨張する構造となっている。ただし、図５の実施形態よりも、三角柱５ｃの傾斜角度が大きくなっている。また、右上辺部が、少し平らになっており、頭が載せやすい構造となっている。
【００５０】
図６に示すように、背中側の傾斜角度は適宜設計すればよく、また、起き上がり補助装置１の端部は適宜、心地よい形状に加工されているとよい。
【００５１】
図７は、図１の実施形態に対して、横臥者の両腕側を持ち上げる形状とした場合の起き上がり補助装置１ｄの斜視図である。図７に示すように、横臥者の両腕部分であるところの外辺部分５ｄ，５ｄを、横臥者の背骨があたる中心部分よりも高くすることで、横臥者が起き上がり補助装置１ｄから転げ落ちてしまうことを防止することが可能である。なお、図７の構造は、図１の実施形態以外に、図４ないし図６の実施形態や、その他の本発明の変形例に全て適用可能である。
【００５２】
さらに、両腕部分を中心部分より高くするために、別の袋を用いるようにしてもよい。
【００５３】
なお、上記実施形態では、太もも部分と頭部分とを１つの袋として構成しているが、別々の袋で構成してもよい。さらに、袋を細かく分割して、起き上がり補助装置を構成するようにしてよい。その場合、エアーポンプ側から、空気を供給する際に、所定の順番で、袋を膨張して、横臥者を安全に床から持ち上げるようにするとよい。すなわち、少なくとも１つの袋によって、起き上がり補助装置が構成されているとよい。
【００５４】
変形例の一例として、２つの袋を用いた例を図８に示す。図８に示す起き上がり補助装置１ｆは、お尻から太ももの下に位置する第１の袋１０ａと、背中の下に位置する第２の袋１０ｂとによって、構成されている。第１の袋１０ａと第２の袋１０ｂとは、仕切られた別々の袋である。第１の袋１０ａは、空気注入口２ａからの供給する空気で膨らむ。第２の袋１０ｂは、空気注入口２ｂからの供給する空気で膨らむ。空気注入口２ａ及び２ｂには、それぞれ別々に空気が供給されてもよいし、同時に空気が供給されてもよい。
【００５５】
たとえば、図２に示すような状態で空気を供給した場合、まず、体重がかかっていない部分から膨らむこととなる。すなわち、体の周りの袋から膨らみ始める。ある程度膨らんだところで、背中や腰、太ももあたりの袋が膨らむこととなるが、軽い箇所から順に膨らんでいく。したがって、典型的には、背中のあたりから膨らみ始める。すると、横臥者４は、背中から起き上がることになってしまうので、太もも側に滑り落ちてしまう可能性もある。
【００５６】
そこで、図８の起き上がり補助装置１ｆに示すように、袋１０ａ，１０ｂを２つに分けることとする。袋１０ａ，１０ｂの膨らませ方としては、種々考えられるが、たとえば、２つのエアーポンプを用いて、同時に袋１０ａ，１０ｂを膨らませるとよい。これによって、お尻から太もも部分と、背中部分とが同時期に膨らみ始めることとなるので、横臥者４が滑り落ちてしまうという危険を回避出来る。
【００５７】
また、たとえば、最初に、お尻部分の袋１０ａをある程度膨らませた後、背中部分の袋１０ｂを膨らませ、そのあと、袋１０ａを膨らませるようにしてもよい。この場合、エアーポンプを１つだけ用いてもよい。
【００５８】
また、空気注入口２ａ，２ｂに連通させる二股に分かれた管を用いて、１つのエアーポンプだけで、袋１０ａ，１０ｂを同時に膨らませるようにしてもよい。
【００５９】
また、図８に示すように、袋１０ａ，１０ｂの形状は、その一部が互いに、上下に重なるようにすることで、持ち上げを安定して行なうことができるようにしてもよいが、限定されない。
【００６０】
その他、図１、及び、図４ないし図７に示した起き上がり補助装置において、たとえば、腰から下の部分と、腰から上の部分とを、単に、２つの袋に分けてしまうような構成であってもよい。
【００６１】
すなわち、袋を、横臥者の太もも部分を持ち上げる第１の袋と、横臥者の背中部分を持ち上げる第２の袋とに分けることで、横臥者が滑り落ちてしまうことを防止できる。
【００６２】
また、たとえば、図１に示した起き上がり補助装置１を安定させるために、袋の底面の周辺に、トーラス状の別な袋を設けて、底を安定させるようにしてもよい。
【００６３】
また、袋の底に、板状部材を取り付けるようにして、底を安定させるようにしてもよい。
【００６４】
また、袋に空気が最大限入ったことを使用者に知らせるために、エアーポンプに空気圧の検知装置を設けておいてもよい。
【００６５】
また、袋の中心位置や腰の位置などが分かるように、適宜、色分けや目印等を設けるようにしてもよい。
【００６６】
また、横臥者の転倒を防止するために、横臥者の周囲を別な袋で先に囲うようにしてもよい。
【００６７】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。本明細書に開示されている発明の構成要件は、それぞれ独立に単独した発明として成立するものとする。各構成要件をあらゆる組み合わせ方法で組み合わせた発明も、本発明に含まれることとする。
【産業上の利用可能性】
【００６８】
本発明は、横臥者の起き上がり補助装置であり、産業上利用可能である。
【符号の説明】
【００６９】
１，１ａ，１ｂ，１ｃ，１ｄ，１ｆ  起き上がり補助装置
２，２ａ，２ｂ  空気注入口
３  取っ手
４  横臥者
５ａ  直方体
５ｂ，５ｃ  三角柱
５ｄ  両腕部分
１０ａ  第１の袋
１０ｂ  第２の袋
【図１】
2020075016.tif 000003
【図２】
2020075016.tif 000004
【図３】
2020075016.tif 000005
【図４】
2020075016.tif 000006
【図５】
2020075016.tif 000007
【図６】
2020075016.tif 000008
【図７】
2020075016.tif 000009
【図８】
2020075016.tif 000010